(57)【特許請求の範囲】
【請求項１】
監視領域における異常を検知した場合に異常を検知した旨を示す警報情報をネットワークに接続された監視センタに送信する警備装置において、
前記警報情報が送信された状態を示す発報を報知する発報報知手段と、
前記警報情報に対応する警備員が前記監視領域に到着した旨を示す現着情報が前記監視センタに送信された場合に、前記発報報知手段による前記発報の報知の解除を指示する復旧情報を前記監視センタから受信する復旧情報受信手段と、
前記復旧情報受信手段によって前記復旧情報が受信された場合に、前記発報報知手段による前記発報の報知を解除する復旧手段と、
前記監視領域における異常を検知する検知手段と、
前記復旧手段によって前記発報の報知が解除された後に、前記検知手段によって前記異常が検知された場合に、前記異常を報知する異常報知手段と、
を備えることを特徴とする警備装置。
【請求項２】
監視領域における異常を検知した場合に異常を検知した旨を示す警報情報をネットワークに接続された監視センタに送信する警備装置において、
前記警報情報が送信された状態を示す発報を報知する発報報知手段と、
前記発報報知手段による前記発報の報知の解除を指示する復旧情報を前記警報情報に対応する警備員が所持する携帯端末から受信する復旧情報受信手段と、
前記復旧情報受信手段によって前記復旧情報が受信された場合に、前記発報報知手段による前記発報の報知を解除する復旧手段と、
前記監視領域における異常を検知する検知手段と、
前記復旧手段によって前記発報の報知が解除された後に、前記検知手段によって前記異常が検知された場合に、前記異常を報知する異常報知手段と、
を備えることを特徴とする警備装置。
【請求項３】
前記復旧情報の操作入力を受付ける操作情報取得手段、をさらに備え、
前記復旧手段は、さらに前記操作情報取得手段によって前記復旧情報を受付けた場合に、前記発報報知手段による前記発報の報知を解除すること、を特徴とする請求項１または請求項２に記載の警備装置。
【請求項４】
前記検知手段は、人体を検知する人感センサによって前記異常を検知すること、を特徴とする請求項１〜３のいずれか一つに記載の警備装置。
【請求項５】
前記異常報知手段は、表示灯の点灯または音声の出力によって前記異常を報知すること、を特徴とする請求項１〜４のいずれか一つに記載の警備装置。
【請求項６】
監視領域における異常を検知した場合に異常を検知した旨を示す警報情報を送信する警備装置と、前記警備装置にネットワークを介して接続された監視センタとからなる監視システムにおいて、
前記監視センタは、
前記警報情報に対応する警備員が前記監視領域に到着した旨を示す現着情報を受信した場合に、前記警備装置によって前記警報情報を送信された状態を示す発報の報知の解除を指示する復旧情報を送信する復旧情報送信手段、を備え、
前記警備装置は、
前記発報を報知する発報報知手段と、
前記監視センタから送信された前記復旧情報を受信する復旧情報受信手段と、
前記復旧情報受信手段によって前記復旧情報が受信された場合に、前記発報報知手段による前記発報の報知を解除する復旧手段と、
前記監視領域における異常を検知する検知手段と、
前記復旧手段によって前記発報の報知が解除された後に、前記検知手段によって前記異常が検知された場合に、前記異常を報知する異常報知手段と、
を備えることを特徴とする監視システム。
【請求項７】
監視領域における異常を検知した場合に異常を検知した旨を示す警報情報を送信する警備装置と、前記警備装置にネットワークを介して接続された監視センタとからなる監視システムにおいて、
前記警報情報に対応する警備員が所持する携帯端末は、
前記警備装置から前記警報情報が送信された状態を示す発報の報知の解除を指示する復旧情報を送信する復旧情報送信手段、を備え、
前記警備装置は、
前記発報を報知する発報報知手段と、
前記携帯端末から送信された前記復旧情報を受信する復旧情報受信手段と、
前記復旧情報受信手段によって前記復旧情報が受信された場合に、前記発報報知手段による前記発報の報知を解除する復旧手段と、
前記監視領域における異常を検知する検知手段と、
前記復旧手段によって前記発報の報知が解除された後に、前記検知手段によって前記異常が検知された場合に、前記異常を報知する異常報知手段と、
を備えることを特徴とする監視システム。
【請求項８】
監視領域における異常を検知した場合に異常を検知した旨を示す警報情報をネットワークに接続された監視センタに送信する警備装置の制御方法において、
前記警報情報が送信された状態を示す発報を報知する発報報知ステップと、
前記警報情報に対応する警備員が前記監視領域に到着した旨を示す現着情報が前記監視センタに送信された場合に、前記発報報知ステップによる前記発報の報知の解除を指示する復旧情報を前記監視センタから受信する復旧情報受信ステップと、
前記復旧情報受信ステップによって前記復旧情報が受信された場合に、前記発報報知ステップによる前記発報の報知を解除する復旧ステップと、
前記監視領域における異常を検知する検知ステップと、
前記復旧ステップによって前記発報の報知が解除された後に、前記検知ステップによって前記異常が検知された場合に、前記異常を報知する異常報知ステップと、
を有することを特徴とする制御方法。
【請求項９】
監視領域における異常を検知した場合に異常を検知した旨を示す警報情報をネットワークに接続された監視センタに送信する警備装置の制御方法において、
前記警報情報が送信された状態を示す発報を報知する発報報知ステップと、
前記発報報知ステップによる前記発報の報知の解除を指示する復旧情報を前記警報情報に対応する警備員が所持する携帯端末から受信する復旧情報受信ステップと、
前記復旧情報受信ステップによって前記復旧情報が受信された場合に、前記発報報知ステップによる前記発報の報知を解除する復旧ステップと、
前記監視領域における異常を検知する検知ステップと、
前記復旧ステップによって前記発報の報知が解除された後に、前記検知ステップによって前記異常が検知された場合に、前記異常を報知する異常報知ステップと、
を有することを特徴とする制御方法。
【発明の詳細な説明】
【技術分野】
【０００１】
本発明は、警備装置、監視システム、および制御方法に関するものであり、特に異常発生時における警備員の安全確保に関するものである。
【背景技術】
【０００２】
従来、監視領域内で異常を検知すると警報が監視センタに送信し、異常が発生したことを示すため、表示灯が点灯する警備装置が一般に知られている。かかる警備装置から警報を受信した監視センタでは、発生した異常に対応するために監視領域に警備員を派遣する。現地に到着した警備員は、警報送信以降の監視領域内の状況が把握できないため、侵入者が監視領域内にまだ留まっているのか逃走したのかが不明であり、警備員の安全確保が図れないという問題があった。
【０００３】
このような問題を解決するものとして、監視領域内のセンサが検知した履歴情報を警備員が所持する携帯端末に送信する警備装置が開示されている（特許文献１参照）。このような技術によって、警備員は監視領域内に入ることなく、それまでの監視領域内の状況を把握することができる。
【０００４】
【特許文献１】特開平１１−８６１６４号公報
【発明の開示】
【発明が解決しようとする課題】
【０００５】
しかしながら、上記特許文献１に記載された技術では、センサによって検知された異常の履歴を確認することができるが、警備員が監視領域に入って確認しようとする時点でのセンサによる検知情報を確認することができなかった。すなわち、かかる技術では、過去のセンサ情報を確認できるのみで、現在の監視領域内のセンサ検知情報を確認することができないため、現在監視領域内に留まっている侵入者の攻撃などの危険を未然に察知することができなかった。
【０００６】
本発明は、上記に鑑みてなされたものであって、監視領域内での警備員の安全を高めることができる警備装置、監視システム、および制御方法を提供することを目的とする。
【課題を解決するための手段】
【０００７】
上述した課題を解決し、目的を達成するために、請求項１にかかる発明は、監視領域における異常を検知した場合に異常を検知した旨を示す警報情報をネットワークに接続された監視センタに送信する警備装置において、前記警報情報が送信された状態を示す発報を報知する発報報知手段と、前記警報情報に対応する警備員が前記監視領域に到着した旨を示す現着情報が前記監視センタに送信された場合に、前記発報報知手段による前記発報の報知の解除を指示する復旧情報を前記監視センタから受信する復旧情報受信手段と、前記復旧情報受信手段によって前記復旧情報が受信された場合に、前記発報報知手段による前記発報の報知を解除する復旧手段と、前記監視領域における異常を検知する検知手段と、前記復旧手段によって前記発報の報知が解除された後に、前記検知手段によって前記異常が検知された場合に、前記異常を報知する異常報知手段と、を備えることを特徴とする。
【０００８】
また、請求項２にかかる発明は、監視領域における異常を検知した場合に異常を検知した旨を示す警報情報をネットワークに接続された監視センタに送信する警備装置において、前記警報情報が送信された状態を示す発報を報知する発報報知手段と、前記発報報知手段による前記発報の報知の解除を指示する復旧情報を前記警報情報に対応する警備員が所持する携帯端末から受信する復旧情報受信手段と、前記復旧情報受信手段によって前記復旧情報が受信された場合に、前記発報報知手段による前記発報の報知を解除する復旧手段と、前記監視領域における異常を検知する検知手段と、前記復旧手段によって前記発報の報知が解除された後に、前記検知手段によって前記異常が検知された場合に、前記異常を報知する異常報知手段と、を備えることを特徴とする。
【０００９】
また、請求項３にかかる発明は、請求項１または請求項２に記載の警備装置において、前記復旧情報の操作入力を受付ける操作情報取得手段、をさらに備え、前記復旧手段は、さらに前記操作情報取得手段によって前記復旧情報を受付けた場合に、前記発報報知手段による前記発報の報知を解除すること、を特徴とする。
【００１０】
また、請求項４にかかる発明は、請求項１〜３のいずれか一つに記載の警備装置において、前記検知手段は、人体を検知する人感センサによって前記異常を検知すること、を特徴とする。
【００１１】
また、請求項５にかかる発明は、請求項１〜４のいずれか一つに記載の警備装置において、前記異常報知手段は、表示灯の点灯または音声の出力によって前記異常を報知すること、を特徴とする。
【００１２】
また、請求項６にかかる発明は、監視領域における異常を検知した場合に異常を検知した旨を示す警報情報を送信する警備装置と、前記警備装置にネットワークを介して接続された監視センタとからなる監視システムにおいて、前記監視センタは、前記警報情報に対応する警備員が前記監視領域に到着した旨を示す現着情報を受信した場合に、前記警備装置によって前記警報情報を送信された状態を示す発報の報知の解除を指示する復旧情報を送信する復旧情報送信手段、を備え、前記警備装置は、前記発報を報知する発報報知手段と、前記監視センタから送信された前記復旧情報を受信する復旧情報受信手段と、前記復旧情報受信手段によって前記復旧情報が受信された場合に、前記発報報知手段による前記発報の報知を解除する復旧手段と、前記監視領域における異常を検知する検知手段と、前記復旧手段によって前記発報の報知が解除された後に、前記検知手段によって前記異常が検知された場合に、前記異常を報知する異常報知手段と、を備えることを特徴とする。
【００１３】
また、請求項７にかかる発明は、監視領域における異常を検知した場合に異常を検知した旨を示す警報情報を送信する警備装置と、前記警備装置にネットワークを介して接続された監視センタとからなる監視システムにおいて、前記警報情報に対応する警備員が所持する携帯端末は、前記警備装置から前記警報情報が送信された状態を示す発報の報知の解除を指示する復旧情報を送信する復旧情報送信手段、を備え、前記警備装置は、前記発報を報知する発報報知手段と、前記携帯端末から送信された前記復旧情報を受信する復旧情報受信手段と、前記復旧情報受信手段によって前記復旧情報が受信された場合に、前記発報報知手段による前記発報の報知を解除する復旧手段と、前記監視領域における異常を検知する検知手段と、前記復旧手段によって前記発報の報知が解除された後に、前記検知手段によって前記異常が検知された場合に、前記異常を報知する異常報知手段と、を備えることを特徴とする。
【００１４】
また、請求項８にかかる発明は、監視領域における異常を検知した場合に異常を検知した旨を示す警報情報をネットワークに接続された監視センタに送信する警備装置の制御方法において、前記警報情報が送信された状態を示す発報を報知する発報報知ステップと、前記警報情報に対応する警備員が前記監視領域に到着した旨を示す現着情報が前記監視センタに送信された場合に、前記発報報知ステップによる前記発報の報知の解除を指示する復旧情報を前記監視センタから受信する復旧情報受信ステップと、前記復旧情報受信ステップによって前記復旧情報が受信された場合に、前記発報報知ステップによる前記発報の報知を解除する復旧ステップと、前記監視領域における異常を検知する検知ステップと、前記復旧ステップによって前記発報の報知が解除された後に、前記検知ステップによって前記異常が検知された場合に、前記異常を報知する異常報知ステップと、を有することを特徴とする。
【００１５】
また、請求項９にかかる発明は、監視領域における異常を検知した場合に異常を検知した旨を示す警報情報をネットワークに接続された監視センタに送信する警備装置の制御方法において、前記警報情報が送信された状態を示す発報を報知する発報報知ステップと、前記発報報知ステップによる前記発報の報知の解除を指示する復旧情報を前記警報情報に対応する警備員が所持する携帯端末から受信する復旧情報受信ステップと、前記復旧情報受信ステップによって前記復旧情報が受信された場合に、前記発報報知ステップによる前記発報の報知を解除する復旧ステップと、前記監視領域における異常を検知する検知ステップと、前記復旧ステップによって前記発報の報知が解除された後に、前記検知ステップによって前記異常が検知された場合に、前記異常を報知する異常報知ステップと、を有することを特徴とする。
【発明の効果】
【００１６】
請求項１にかかる発明によれば、発報報知手段によって、警報情報が送信された状態を示す発報を報知し、復旧情報受信手段によって、警報情報に対応する警備員が監視領域に到着した旨を示す現着情報が監視センタに送信された場合に、発報報知手段による発報の報知の解除を指示する復旧情報を監視センタから受信し、復旧手段によって、復旧情報受信手段によって復旧情報が受信された場合に、発報報知手段による発報の報知を解除し、検知手段によって、監視領域における異常を検知し、異常報知手段によって、復旧手段によって発報の報知が解除された後に、検知手段によって異常が検知された場合に、異常を報知することにより、警備員が現場に到着した後の監視領域内での異常を把握することができるため、警備員が監視領域内に進入する場合の危険を防止することができるという効果を奏する。
【００１７】
また、請求項２にかかる発明によれば、発報報知手段によって、警報情報が送信された状態を示す発報を報知し、復旧情報受信手段によって、発報報知手段による発報の報知の解除を指示する復旧情報を警報情報に対応する警備員が所持する携帯端末から受信し、復旧手段によって、復旧情報受信手段によって復旧情報が受信された場合に、発報報知手段による発報の報知を解除し、検知手段によって、監視領域における異常を検知し、異常報知手段によって、復旧手段によって発報の報知が解除された後に、検知手段によって異常が検知された場合に、異常を報知することにより、監視センタでの確認を介さず警備員が現場に到着した時点での監視領域内での異常を把握することができるため、監視領域内の状況を即時に把握することができるという効果を奏する。
【００１８】
また、請求項３にかかる発明によれば、操作情報取得手段によって、復旧情報の操作入力を受付け、復旧手段は、さらに操作情報取得手段によって復旧情報を受付けた場合に、発報報知手段による発報の報知を解除することにより、監視センタでの確認を介さず警備員が現場に到着した時点での監視領域内での異常を把握することができるため、監視領域内の状況を即時に把握することができるという効果を奏する。
【００１９】
また、請求項４にかかる発明によれば、検知手段は、人体を検知する人感センサによって異常を検知することにより、監視領域内の侵入者を検知することができるため、警備員が監視領域内に進入する場合の侵入者からの攻撃による危険を防止することができるという効果を奏する。
【００２０】
また、請求項５にかかる発明によれば、異常報知手段は、表示灯の点灯または音声の出力によって異常を報知することにより、監視領域外から監視領域内の異常を把握することができるため、警備員の安全を確実に図ることができるという効果を奏する。
【００２１】
また、請求項６にかかる発明によれば、監視センタは、復旧情報送信手段によって、警報情報に対応する警備員が監視領域に到着した旨を示す現着情報を受信した場合に、警備装置によって警報情報を送信された状態を示す発報の報知の解除を指示する復旧情報を送信し、警備装置は、発報報知手段によって、発報を報知し、復旧情報受信手段によって、監視センタから送信された復旧情報を受信し、復旧手段によって、復旧情報受信手段によって復旧情報が受信された場合に、発報報知手段による発報の報知を解除し、検知手段によって、監視領域における異常を検知し、異常報知手段によって、復旧手段によって発報の報知が解除された後に、検知手段によって異常が検知された場合に、異常を報知することにより、警備員が現場に到着した後の監視領域内での異常を把握することができるため、警備員が監視領域内に進入する場合の危険を防止することができるという効果を奏する。
【００２２】
また、請求項７にかかる発明によれば、警報情報に対応する警備員が所持する携帯端末は、復旧情報送信手段によって、警備装置から警報情報が送信された状態を示す発報の報知の解除を指示する復旧情報を送信し、警備装置は、発報報知手段によって、発報を報知し、復旧情報受信手段によって、携帯端末から送信された復旧情報を受信し、復旧手段によって、復旧情報受信手段によって復旧情報が受信された場合に、発報報知手段による発報の報知を解除し、検知手段によって、監視領域における異常を検知し、異常報知手段によって、復旧手段によって発報の報知が解除された後に、検知手段によって異常が検知された場合に、異常を報知することにより、監視センタでの確認を介さず警備員が現場に到着した時点での監視領域内での異常を把握することができるため、監視領域内の状況を即時に把握することができるという効果を奏する。
【００２３】
また、請求項８にかかる発明によれば、発報報知ステップによって、警報情報が送信された状態を示す発報を報知し、復旧情報受信ステップによって、警報情報に対応する警備員が監視領域に到着した旨を示す現着情報が監視センタに送信された場合に、発報報知ステップによる発報の報知の解除を指示する復旧情報を監視センタから受信し、復旧ステップによって、復旧情報受信ステップによって復旧情報が受信された場合に、発報報知ステップによる発報の報知を解除し、検知ステップによって、監視領域における異常を検知し、異常報知ステップによって、復旧ステップによって発報の報知が解除された後に、検知ステップによって異常が検知された場合に、異常を報知することにより、警備員が現場に到着した後の監視領域内での異常を把握することができるため、警備員が監視領域内に進入する場合の危険を防止することができるという効果を奏する。
【００２４】
また、請求項９にかかる発明によれば、発報報知ステップによって、警報情報が送信された状態を示す発報を報知し、復旧情報受信ステップによって、発報報知ステップによる発報の報知の解除を指示する復旧情報を警報情報に対応する警備員が所持する携帯端末から受信し、復旧ステップによって、復旧情報受信ステップによって復旧情報が受信された場合に、発報報知ステップによる発報の報知を解除し、検知ステップによって、監視領域における異常を検知し、異常報知ステップによって、復旧ステップによって発報の報知が解除された後に、検知ステップによって異常が検知された場合に、異常を報知することにより、監視センタでの確認を介さず警備員が現場に到着した時点での監視領域内での異常を把握することができるため、監視領域内の状況を即時に把握することができるという効果を奏する。
【発明を実施するための最良の形態】
【００２５】
以下に添付図面を参照して、この発明にかかる警備装置、監視システム、および制御方法の最良な実施の形態を詳細に説明する。なお、本発明はこれらの実施の形態に限定されるものではない。
【００２６】
（第１の実施の形態）
第１の実施の形態について、添付図面を参照して説明する。本実施の形態にかかる警備装置は、警備員が監視領域に到着した後に監視領域内で異常を検知した場合に再度表示灯や音声などによって異常を報知するものである。
【００２７】
まず、本発明が適用される警備装置を含む監視システムの構成例について説明する。図１は、第１の実施の形態にかかる監視システムの構成を示すブロック図である。
【００２８】
本実施の形態にかかる監視システム１０は、警備装置１００と、監視センタ２００と、携帯端末３００と、から構成されており、警備装置１００と監視センタ２００とは電話回線、無線ネットワーク、インターネットなどのネットワーク４００を介して接続されている。
【００２９】
本実施の形態にかかる携帯端末３００は、監視領域に出動する警備員が所持するものである。携帯端末３００は、警備員が警備装置１００から送信された警報情報に対応するため監視領域に出動し、警備員が監視領域に到着した場合に監視センタ２００に対して現着情報を送信するものである。ここで、現着情報とは、警備員が監視領域に到着したことを示す情報である。
【００３０】
携帯端末３００は、図示しない送受信部、制御部、表示部、操作部、音声通話部などから構成されており、公知の携帯電話と同様の構成である。送受信部は、ネットワークから無線でデータの送受信を行い、制御部は携帯端末の各種の制御を行う。表示部は、送信されたデータまたは入力されたデータの表示を行い、操作部は、データの入力を行う。音声通話部は、警備装置から送信される情報を音声データとして受信し出力するとともに、警備装置付近にいる利用者との音声通話を行う。なお、携帯端末として、公知のＰＤＡ（Personal Digital Assistants）またはＰＣ（Personal Computer）を用いてもよい。
【００３１】
本実施の形態にかかる警備装置１００は、センサ１１０と、センサ検知部１０１と、警報情報送信部１０２と、復旧情報受信部１０３と、表示灯１１１と、表示灯制御部１０４と、音声出力部１１２と、音声制御部１０５と、警備モード記憶部１０６と、警備モード切替部１０７と、を備えている。
【００３２】
センサ１１０は、具体的には人感センサや、マグネットセンサ、火災センサなどである。人感センサとは、例えば赤外線の受光量の変化をもとに人体を検知する赤外線センサ、赤外線などが遮られることで人体を検知する遮断センサ、電磁波の乱れで人体を検知する気配センサなどの人体を検知するセンサである。マグネットセンサとは、マグネットにより扉の開閉を検知するセンサであり、火災センサとは、煙などを検知するセンサである。
【００３３】
警備モード記憶部１０６は、警備装置１００の現在の警備モードを記憶している。警備モードとは、警備装置１００が警備する警備区域における現在の警備の状態を示すものであり、警備状態または警備解除状態のいずれかが設定されている。
【００３４】
ここで、警備状態とは、センサ１１０によって異常を検知したときに発せられる検知信号を受信した場合に、監視センタ２００に警報情報を送信する状態をいい、警備解除状態とは、警備装置がセンサ１１０から異常を検知した場合でも監視センタ２００に警報情報を送信しない状態をいう。
【００３５】
警備モード切替部１０７は、図示しない操作部によって入力された警備モードに従って、警備モードを切替えるものである。切替えられた警備モードの内容である警備状態または警備解除状態は、警備モード記憶部１０６に格納される。
【００３６】
センサ検知部１０１は、センサ１１０が送信した検知信号を受信するものである。
【００３７】
警報情報送信部１０２は、センサ検知部１０１が検知信号を受信した場合で、かつ警備モード記憶部１０６に格納されている警備モードが警備状態である場合に、警報情報を監視センタ２００に送信する（以下、発報するという）ものである。なお、センサ検知部１０１が検知信号を受信した場合でも、警備モード記憶部１０６に格納されている警備モードが警備解除状態である場合は発報しない。
【００３８】
復旧情報受信部１０３は、監視センタ２００から送信された復旧情報を受信するものである。ここで、復旧情報とは、警備員が監視領域に到着した際に携帯端末３００から送信する現着情報を監視センタ２００が受信した場合に、監視センタ２００から警備装置１００に対して警報情報の復旧を指示するものである。また、警報情報の送信されたことを周辺に報知するために点灯されていた表示灯の消灯や音声出力の停止を指示するものである。
【００３９】
表示灯１１１は、監視領域外に発報を報知するために点灯するものである。また、復旧情報を受信後、センサ１１０が異常を検知した場合には、監視領域内での異常の検知を監視領域外に報知するために点灯するものである。表示灯１１１は、本発明における発報報知手段および異常報知手段を構成する。
【００４０】
表示灯制御部１０４は、表示灯１１１の点灯や消灯を制御するものである。発報した場合には表示灯１１１が点灯するように制御し、監視センタ２００から復旧情報を受信した場合には表示灯１１１が消灯するように制御する。また、表示灯制御部１０４は、監視センタ２００から復旧情報を受信した後に、センサ１１０が異常を検知し、センサ検知部１０１が検知信号を受信した場合には表示灯１１１を点灯するように制御する。表示灯制御部１０４は、本発明における復旧手段を構成する。
【００４１】
音声出力部１１２は、監視領域外に発報を報知するために音声を出力するものである。また、復旧情報を受信後、センサ１１０が異常を検知した場合には、監視領域内での異常の検知を監視領域外に報知するために音声を出力するものである。音声としては、ブザー音や警報音、人の声による警告などを出力する。音声出力部１１２は、本発明における発報報知手段および異常報知手段を構成する。
【００４２】
音声制御部１０５は、音声出力部１１２での音声の出力や出力停止を制御するものである。発報した場合には、音声出力部１１２によって音声を出力されるように制御し、監視センタ２００から復旧情報を受信した場合には音声の出力を停止するように制御する。また、音声制御部１０５は、監視センタ２００から復旧情報を受信した後に、センサ１１０が異常を検知し、センサ検知部１０１が検知信号を受信した場合には、音声出力部１１２によって音声が出力されるように制御する。音声制御部１０５は、本発明における復旧手段を構成する。
【００４３】
本実施の形態にかかる監視センタ２００は、受信部２０１と、表示部２０２と、復旧情報送信部２０４と、操作部２０３と、を備えている。
【００４４】
受信部２０１は、警備装置１００から送信された警報情報を受信するものである。また、受信部２０１は、携帯端末３００から送信された現着情報を受信するものである。表示部２０２は、受信部２０１が受信した警報情報や監視領域に関する情報を表示するものである。操作部２０３は、警報情報に対する復旧の指示を受付けるものである。復旧情報送信部２０４は、操作部２０３から警報情報に対する復旧の指示を受付けた場合に、警備装置１００に復旧情報を送信するものである。
【００４５】
次に、以上のように構成されている監視システム１０による制御処理について説明する。図２は、警備装置、監視センタおよび携帯端末が行う制御処理手順を示すフローチャートである。
【００４６】
警備装置１００において、センサ検知部１０１はセンサ１１０からの検知信号を受信したか否か、すなわちセンサ１１０が異常を検知したか否かを判断する（ステップＳ２０１）。センサ１１０が異常を検知していないと判断した場合には（ステップＳ２０１：Ｎｏ）、ステップＳ２０１に戻る。
【００４７】
センサ１１０が異常を検知したと判断した場合には（ステップＳ２０１：Ｙｅｓ）、警備モード記憶部１０６から警備モードを取得し、現在の警備モードが警備状態か否かを判断する（ステップＳ２０２）。現在の警備モードが警備状態でないと判断した場合には（ステップＳ２０２：Ｎｏ）、処理を抜ける。現在の警備モードが警備状態であると判断した場合には（ステップＳ２０２：Ｙｅｓ）、警報情報を監視センタ２００に送信する（ステップＳ２０３）。表示灯制御部１０４は表示灯１１１を点灯し、音声制御部１０５は音声出力部１１２から音声を出力する（ステップＳ２０４）。
【００４８】
監視センタ２００において、受信部２０１は警備装置１００から送信された警報情報を受信する（ステップＳ２０５）。表示部２１０は、送信された警報情報を表示する（ステップＳ２０６）。
【００４９】
携帯端末３００からは、発報した警備装置１００の監視領域に警備員が到着したときに、現着情報を監視センタ２００に送信する（ステップＳ２０７）。監視センタ２００の受信部２０１は、携帯端末３００から送信された現着情報を受信する（ステップＳ２０８）。表示部２０２は、警備装置１００から送信された警報情報に対する対応状況として現着情報を表示する（ステップＳ２０９）。操作部２０３は、警報情報に対する復旧の指示を受付ける（ステップＳ２１０）。復旧情報送信部２０４は、警備装置１００に復旧情報を送信する（ステップＳ２１１）。
【００５０】
警備装置１００において、復旧情報受信部１０３は監視センタ２００から送信された復旧情報を受信する（ステップＳ２１２）。表示灯制御部１０４は表示灯１１１を消灯し、音声制御部１０５は音声出力部１１２から音声の出力を停止する（ステップＳ２１３）。センサ検知部１０１は、センサ１１０からの検知信号を受信したか否か、すなわちセンサ１１０が異常を検知したか否かを判断する（ステップＳ２１４）。
【００５１】
センサ１１０が異常を検知していないと判断した場合には（ステップＳ２１４：Ｎｏ）、ステップＳ２１４に戻り、検知を繰り返す。センサ１１０が異常を検知したと判断した場合には（ステップＳ２１４：Ｙｅｓ）、表示灯制御部１０４は表示灯１１１を点灯し、音声制御部１０５は音声出力部１１２から音声を出力する（ステップＳ２１５）。
【００５２】
このように、警備員が監視領域に到着し、現着情報を送信した時点で、一旦表示灯を消灯し、音声の出力を停止し、その時点からセンサが異常を検知した場合に改めて表示灯を点灯し、音声を出力することによって、警備員が監視領域内に進入しなくても、監視領域内に侵入者が留まっているか否かなどの危険を把握することができ、警備員の危険を防ぐことができる。
【００５３】
また、復旧情報が送信された後において、センサ１１０が異常を検知する場合には、人体を直接検知する人感センサが異常を検知した場合にのみ、表示灯１１１を点灯し、音声出力部１１２から音声を出力するようにしてもよい。これは、例えば窓などに設置されたマグネットセンサが異常を検知した場合に、表示灯１１１を点灯し、音声出力部１１２から音声を出力すると、侵入者が逃走する際に窓が開放されたり、破壊されたりした場合にも異常が検知されることとなり、侵入者が監視領域内に留まっているか否かの正確な情報を得ることができないからである。また、人感センサが検知した場合には、表示灯を点滅させたり、点灯色を変えたりしてもよい。
【００５４】
また、本発明は上述した実施の形態に限定されるものではなく、以下に他の実施の形態について説明する。
【００５５】
（第２の実施の形態）
第２の実施の形態について、添付図面を参照して説明する。第２の実施の形態にかかる警備装置は、警備員が監視領域に到着した後に警備員が所持している携帯端末から警備装置に直接復旧情報を送信して発報の報知を解除した後、監視領域内で異常を検知した場合に再度表示灯や音声などによって異常を報知するものである。
【００５６】
本発明が適用される監視システムの構成例について、第１の実施の形態と異なる部分を説明する。他の部分については第１の実施の形態と同様であるので、上述した説明を参照し、ここでの説明を省略する。図３は、第２の実施の形態にかかる監視システムの構成を示すブロック図である。
【００５７】
本実施の形態にかかる監視システム３０は、警備装置１３０と、監視センタ２３０と、携帯端末３３０と、から構成されており、警備装置１３０と監視センタ２３０とは電話回線、無線ネットワーク、インターネットなどのネットワーク４００を介して接続されている。
【００５８】
本実施の形態にかかる携帯端末３３０は、上述した第１の実施の形態での構成、機能に加え、警備装置１００に対して復旧情報を送信するものである。
【００５９】
本実施の形態にかかる監視センタ２３０は、受信部２０１と、表示部２０２と、操作部２０３と、を備えている。ここで、受信部２０１と、表示部２０２と、操作部２０３の構成、機能は、第１の実施の形態と同様であるので、説明を省略する。
【００６０】
本実施の形態にかかる警備装置１３０は、センサ１１０と、センサ検知部１０１と、送信部１３２と、復旧情報受信部１３３と、表示灯１１１と、表示灯制御部１０４と、音声出力部１１２と、音声制御部１０５と、警備モード記憶部１０６と、警備モード切替部１０７と、を備えている。
【００６１】
ここで、センサ１１０と、センサ検知部１０１と、表示灯１１１と、表示灯制御部１０４と、音声出力部１１２と、音声制御部１０５と、警備モード記憶部１０６と、警備モード切替部１０７の構成、機能は、第１の実施の形態と同様であるので、説明を省略する。
【００６２】
復旧情報受信部１３３は、警備員が所持している携帯端末３３０から送信される復旧情報を受信するものである。送信部１３２は、上述した第１の実施の形態の警報情報送信部１０２の構成、機能に加え、復旧情報受信部１３３によって受信された復旧情報を監視センタ２３０に送信するものである。
【００６３】
次に、以上のように構成されている警備装置１３０による制御処理について説明する。図４は、警備装置、監視センタおよび携帯端末が行う制御処理手順を示すフローチャートである。
【００６４】
本実施の形態にかかる制御処理の手順は、図２に示すフローチャートと一部同様であるので、異なる部分のみ説明する。ステップＳ４０１〜ステップＳ４０６は、図２での説明を参照し、ここでの説明を省略する。
【００６５】
監視領域に警備員が到着したときに、携帯端末３３０から復旧情報を警備装置１３０に送信する（ステップＳ４０７）。警備装置１３０の復旧情報受信部１３３は、携帯端末３３０から送信された復旧情報を受信する（ステップＳ４０８）。送信部１３２は、復旧情報受信部１３３によって受信された復旧信号を監視センタ２３０に送信する（ステップＳ４０９）。監視センタ２３０では、受信部２０１が警備装置１３０から送信された復旧情報を受信する（ステップＳ４１０）。表示部２０２は、警備装置１３０から送信された警報情報に対する対応状況として復旧情報を表示する（ステップＳ４１１）。
【００６６】
警備装置１００では、表示灯制御部１０４が表示灯１１１を消灯し、音声制御部１０５は音声出力部１１２からの音声の出力を停止する（ステップＳ４１２）。センサ検知部１０１はセンサ１１０からの検知信号を受信したか否か、すなわちセンサ１１０が異常を検知したか否かを判断する（ステップＳ４１３）。
【００６７】
センサ１１０が異常を検知していないと判断した場合には（ステップＳ４１３：Ｎｏ）、ステップＳ４１３に戻り、検知を繰り返す。センサ１１０が異常を検知したと判断した場合には（ステップＳ４１３：Ｙｅｓ）、表示灯制御部１０４は表示灯１１１を点灯し、音声制御部１０５は音声出力部１１２から音声を出力する（ステップＳ４１４）。
【００６８】
このように、警備員が所持する携帯端末３３０から直接復旧情報を警備装置１３０に送信することによって、発報による表示灯や音声出力による報知が解除され、すぐに監視領域内での異常を把握することができるため、警備員が監視領域内へ進入するか否かを迅速に判断し、対応することができる。
【００６９】
なお、他の例として警備員が所持している携帯端末３３０からネットワーク４００を介して警備装置１３０に復旧情報を送信するようにしてもよい。これにより、警備装置に復旧情報受信部を設けなくても、警備員による復旧指示が可能となる。
【００７０】
（第３の実施の形態）
第３の実施の形態について、添付図面を参照して説明する。第３の実施の形態にかかる警備装置は、警備員が監視領域に到着した後に警備員によって表示灯に設けられた操作部から直接復旧情報を入力して発報の報知を解除した後、監視領域内で異常を検知した場合に再度表示灯や音声などによって異常を報知するものである。
【００７１】
本発明が適用される監視システムの構成例について、第１または第２の実施の形態を異なる部分を説明する。他の部分については第１または第２の実施の形態と同様であるので、上述した説明を参照し、ここでの説明を省略する。図５は、第３の実施の形態にかかる監視システムの構成を示すブロック図である。
【００７２】
本実施の形態にかかる監視システム５０は、警備装置１５０と、監視センタ２３０と、携帯端末３００と、から構成されており、警備装置１５０と監視センタ２３０とは電話回線、無線ネットワーク、インターネットなどのネットワーク４００を介して接続されている。ここで、携帯端末３００と、監視センタ２３０の構成、機能は、第１または第２の実施の形態と同様であるので、説明を省略する。
【００７３】
本実施の形態にかかる警備装置１５０は、センサ１１０と、センサ検知部１０１と、送信部１３２と、表示灯１１１と、操作部１５１と、表示灯制御部１０４と、音声出力部１１２と、音声制御部１０５と、警備モード記憶部１０６と、警備モード切替部１０７と、を備えている。
【００７４】
ここで、センサ１１０と、センサ検知部１０１と、送信部１３２と、表示灯１１１と、表示灯制御部１０４と、音声出力部１１２と、音声制御部１０５と、警備モード記憶部１０６と、警備モード切替部１０７の構成、機能は、第１または第２の実施の形態と同様であるので、説明を省略する。
【００７５】
操作部１５１は、表示灯１１１に設けられ、復旧情報の入力を受付けるものである。
【００７６】
次に、以上のように構成されている警備装置１５０による制御処理について説明する。図６は、警備装置、監視センタおよび携帯端末が行う制御処理手順を示すフローチャートである。
【００７７】
本実施の形態にかかる制御処理の手順は、図２に示すフローチャートと一部同様であるので、異なる部分のみ説明する。ステップＳ６０１〜ステップＳ６０６は、図２での説明を参照し、ここでの説明を省略する。
【００７８】
警備装置１５０において、表示灯１１１の操作部１５１から復旧情報の入力を受付ける（ステップＳ６０７）。送信部１３２は、操作部１５１によって受付けられた復旧信号を監視センタ２３０に送信する（ステップＳ６０８）。監視センタ２３０では、受信部２０１が警備装置１５０から送信された復旧情報を受信する（ステップＳ６０９）。表示部２０２は、警備装置１５０から送信された警報情報に対する対応状況として復旧情報を表示する（ステップＳ６１０）。
【００７９】
警備装置１５０では、表示灯制御部１０４が表示灯１１１を消灯し、音声制御部１０５は音声出力部１１２からの音声の出力を停止する（ステップＳ６１１）。センサ検知部１０１は、センサ１１０からの検知信号を受信したか否か、すなわちセンサ１１０が異常を検知したか否かを判断する（ステップＳ６１２）。
【００８０】
センサ１１０が異常を検知していないと判断した場合には（ステップＳ６１２：Ｎｏ）、ステップＳ６１２に戻り、検知を繰り返す。センサ１１０が異常を検知したと判断した場合には（ステップＳ６１２：Ｙｅｓ）、表示灯制御部１０４は表示灯１１１を点灯し、音声制御部１０５は音声出力部１１２から音声を出力する（ステップＳ６１３）。
【００８１】
このように、表示灯１１１の操作部１５１から直接復旧情報を警備装置１３０に入力することによって、発報による表示灯や音声出力による報知が解除され、すぐに監視領域内での異常を把握することができるため、警備員が監視領域内へ進入するか否かを迅速に判断し、対応することができる。
【００８２】
これらの実施の形態にかかる警備装置は、ＣＰＵ（Central Processing Unit）等の制御装置と、ＲＯＭ（Read Only Memory）やＲＡＭ（Random Access Memory）等の記憶装置と、表示装置と、入力装置と、外部のネットワークと接続する通信インターフェースと、を備えている。
【００８３】
これらの実施の形態のかかる警備装置で実行される制御プログラムは、ＲＯＭ等に予め組み込まれて提供される。上述した実施の形態で用いることが可能な警備装置で実行される制御プログラムは、上述した各部（センサ検知部、警報情報送信部、復旧情報受信部、表示灯制御部、音声制御部など）を含むモジュール構成となっており、実際のハードウェアとしてはＣＰＵが上記記録媒体から制御プログラムを読み出して実行することにより上記各部が主記憶装置上にロードされ、センサ検知部、警報情報送信部、復旧情報受信部、表示灯制御部、音声制御部などが主記憶装置上に生成されるようになっている。
【図面の簡単な説明】
【００８４】
【図１】第１の実施の形態にかかる監視システムの構成を示すブロック図である。
【図２】警備装置、監視センタおよび携帯端末が行う制御処理手順を示すフローチャートである。
【図３】第２の実施の形態にかかる監視システムの構成を示すブロック図である。
【図４】警備装置、監視センタおよび携帯端末が行う制御処理手順を示すフローチャートである。
【図５】第３の実施の形態にかかる監視システムの構成を示すブロック図である。
【図６】警備装置、監視センタおよび携帯端末が行う制御処理手順を示すフローチャートである。
【符号の説明】
【００８５】
１０  ３０  ５０  監視システム
１００  １３０  １５０  警備装置
１０１  センサ検知部
１０２  警報情報送信部
１０３  １３３  復旧情報受信部
１０４  表示灯制御部
１０５  音声制御部
１０６  警備モード記憶部
１１０  センサ
１１１  表示灯
１１２  音声出力部
１３２  送信部
１５１  操作部
２００  ２３０  監視センタ
２０１  受信部
２０２  表示部
２０３  操作部
２０４  復旧情報送信部
３００  ３３０  携帯端末
４００  ネットワーク
【図１】
0004836619.tif 000002
【図２】
0004836619.tif 000003
【図３】
0004836619.tif 000004
【図４】
0004836619.tif 000005
【図５】
0004836619.tif 000006
【図６】
0004836619.tif 000007